(57)【要約】【課題】箱入りティシュペーパーの収納箱を複数個積み重ねてまとめて包装した包装体において、開封手段を設けることにより、包装袋から収納箱を容易に取り出せるようにすると共に、取り出し後に残った製品がバラバラにならないように上手に再包装できるようにする。【解決手段】箱入りティシュペーパーの収納箱を同一方向に複数個積み重ねて、まとめて包装した包装体１において、該包装体の包装シート２には、該収納箱を取り出すためのミシン目の開封用切込み線１０が、該収納箱が積み重ねられた方向の中央付近に、該収納箱が積み重ねられた方向に対し直角な方向に設けられている。【選択図】　　　　　図１
2004001802.tif 000002
【特許請求の範囲】
【請求項１】
箱入りティシュペーパーの収納箱を同一方向に複数個積み重ねて、まとめて包装した包装体において、
該包装体の包装シートには、該収納箱を取り出すためのミシン目の開封用切込み線が、該収納箱が積み重ねられた方向の中央付近に、該収納箱が積み重ねられた方向に対し直角な方向に設けられていることを特徴とする箱入りティシュペーパーの包装体。
【請求項２】
箱入りティシュペーパーの収納箱を同一方向に複数個積み重ねて、まとめて包装した包装体において、
該包装体の包装シートには、該収納箱を取り出すためのミシン目の開封用切込み線が、該収納箱が積み重ねられた方向に対し直角な方向に、少なくとも２箇所以上設けられていることを特徴とする箱入りティシュペーパーの包装体。
【請求項３】
前記包装体において、前記ミシン目の開封用切込み線が、積み重ねられた収納箱の夫々すべての収納箱位置に、前記収納箱が積み重ねられた方向に対し直角な方向に設けられていることを特徴とする請求項２に記載した箱入りティシュペーパーの包装体。
【請求項４】
箱入りティシュペーパーの収納箱を同一方向に複数個積み重ねて、まとめて包装した包装体において、
該包装体の包装シートには、該収納箱の取り出し用開口部を形成するための開封用テープが、該収納箱が積み重ねられた方向に対し直角な方向に設けられていることを特徴とする箱入りティシュペーパーの包装体。
【請求項５】
前記包装体において、前記開封用テープが、前記収納箱が積み重ねられた方向に直角な方向に、複数箇所設けられていることを特徴とする請求項４に記載した箱入りティシュペーパーの包装体。
【請求項６】
前記包装体において、前記開封用テープが、積み重ねられた収納箱の夫々すべての収納箱位置に、前記収納箱が積み重ねられた方向に直角な方向に設けられていることを特徴とする請求項５に記載した箱入りティシュペーパーの包装体。
【請求項７】
箱入りティシュペーパーの収納箱を同一方向に複数個積み重ねて、まとめて包装した包装体において、
該包装体の包装シートには、該収納箱を取り出すためのミシン目の開封用切込み線が、該収納箱が積み重ねられた方向に対し傾斜した方向に設けられていることを特徴とする箱入りティシュペーパーの包装体。
【請求項８】
前記包装体において、前記包装体の包装シートには、前記収納箱を取り出すためのミシン目の開封用切込み線が、前記収納箱が積み重ねられた方向に対し傾斜した方向に、複数箇所設けられていることを特徴とする請求項７に記載した箱入りティシュペーパーの包装体。
【発明の詳細な説明】
【０００１】
【発明の属する技術分野】本発明は、箱入りティシュペーパーの収納箱を複数個積み重ねてまとめて包装した包装体に関する。
【０００２】
【従来の技術】従来、箱入りティシュペーパーは、その収納箱を複数個（通常５個）積み重ねてその外側を纏めてフィルム包装した包装体として販売されているものが多く見受けられる。ところが、これらの箱入りティシュペーパーの包装体は、外側の包装袋にミシン目の切込み線などの開封手段が設けられているものは殆どないので、開封し難くく、更に、必要数取り出した後に残りの箱入りティシュペーパーがバラバラになってしまうという問題もある。
【０００３】
特開平８−１０４３５６号公報、特開平８−２４４８２９号公報には、一方方向に積み重ねられた複数個の箱入りティシュペーパー（ティシュカートン）を包装した包装袋に、裂開用のミシン目をカートンの積み重ね方向に沿って形成する技術が開示されている。
これらの公報に記載された裂開用のミシン目の技術は、上方から下方に向かってミシン目の開封部を開封していくので、必要以上に開封してしまい易く、後に残ったカートンがバラバラになり易いという問題がある。
【０００４】
また、本件特許出願人は前記公報の出願より以前の１９８５年頃に、ボックスティシュに関し、「ネピアの３大ジョーズ」として、「はこびジョーズ」、「タタミジョーズ」、「あけジョーズ」と称する３つの技術を採用しており、このうち「あけジョーズ」は、「箱入りティシュペーパーの収納箱を同一方向に複数個積み重ねて、まとめて包装した包装体の最上部の包装フィルムに、ミシン目の開封用切込み線を設けた技術」であった。そして、具体的には、前記直方体形状の包装袋（包装体外側の包装フィルム）の上方部分（取っ手が設けられている側が上方）の４側面に渡って、ループ状にミシン目の開封用切込み線を１箇所設けていた。つまり、上記２つの公報に記載されたミシン目の切込み線の方向と異なり、収納箱を積み重ねた方向に対し直角な方向にミシン目の切込み線を形成し、更に取っ手に近い最上部の収納箱の上方位置に形成していた。
【０００５】
この方法は、箱入りティシュペーパーの収納箱を取り出したり、取り出し後に再包装するのに好都合であったが、包装体の最上部に１箇所ミシン目の開封用切込み線を設けただけであったので、最初の１個を取り出す際には取り出しが容易であったが、２個目からはそれ程容易でないという問題があった。また、開封用の包装体（包装袋）の上面に設けられた取っ手部分を持って持ち運ぶ時に、ミシン目線の部分で包装袋が破れ易いという問題も有していた。これは、ミシン目線の位置が取っ手に近過ぎたために、ミシン目線にかかる荷重が大きかったためと思われる。
【０００６】
上記以外の方法として、前記箱入りティシュペーパー包装体の包装袋において、包装フィルムをヒートシールした部分に沿って開封する方法も実際に採用されている。この方法は、ヒートシール部分が収納箱を積み重ねた方向に沿って設けられており、開封操作により、全ての収納箱がバラバラになってしまい、残りの収納箱を再包装することが難しいという問題がある。
【０００７】
【発明が解決しようとする課題】本発明は、前記従来技術の問題点を解決することを課題としている。
すなわち、本発明の課題は、箱入りティシュペーパーの収納箱を複数個積み重ねてまとめて包装した包装体において、該収納箱を取り出すための切込み線などの開封手段を、収納箱が積み重ねられた方向に対し交差する方向に形成することにより、包装袋から収納箱を容易に取り出せるようにすると共に、取り出し後に残った製品がバラバラにならないように上手に再包装できるようにすることである。
【０００８】
【課題を解決するための手段】本発明の第１は、箱入りティシュペーパーの収納箱を同一方向に複数個積み重ねて、その外側をまとめて包装した包装体において、
該包装体の包装シートには、該収納箱を取り出す開口部を形成するためのミシン目の開封用切込み線が、該収納箱が積み重ねられた方向の中央付近に、該収納箱が積み重ねられた方向に対し直角な方向（直交する方向）に設けられていることを特徴とする箱入りティシュペーパーの包装体である。
【０００９】
本発明の第２は、箱入りティシュペーパーの収納箱を同一方向に複数個積み重ねて、その外側をまとめて包装した包装体において、
該包装体の包装シートには、該収納箱を取り出す開口部を形成するためのミシン目の開封用切込み線が、該収納箱が積み重ねられた方向に対し直角な方向に、少なくとも２箇所以上設けられていることを特徴とする箱入りティシュペーパーの包装体である。
【００１０】
本発明の第３は、前記包装体において、前記ミシン目の開封用切込み線が、積み重ねられた収納箱の夫々すべての収納箱位置に、前記収納箱が積み重ねられた方向に対し直角な方向に設けられていることを特徴とする第２の発明に記載した箱入りティシュペーパーの包装体である。
【００１１】
本発明の第４は、箱入りティシュペーパーの収納箱を同一方向に複数個積み重ねて、その外側をまとめて包装した包装体において、
該包装袋には、該収納箱の取出口を形成するための開封用テープ（通常、オープニングテープ、カットテープ、テアテープとも称する）が、該収納箱が積み重ねられた方向に直角な方向に設けられていることを特徴とする箱入りティシュペーパーの包装体である。
【００１２】
本発明の第５は、前記包装袋において、前記開封用テープが、前記収納箱が積み重ねられた方向に直角な方向に、複数箇所設けられていることを特徴とする第４の発明に記載した箱入りティシュペーパーの包装体である。
この場合、前記開封用テープは、積み重ねられた収納箱の複数の収納箱位置に設けられていることが好ましい。
【００１３】
本発明の第６は、前記包装体において、前記開封用テープが、積み重ねられた収納箱の夫々すべての収納箱位置に、前記収納箱が積み重ねられた方向に対し直角な方向に設けられていることを特徴とする第５の発明に記載した箱入りティシュペーパーの包装体である。
【００１４】
本発明の第７は、箱入りティシュペーパーの収納箱を同一方向に複数個積み重ねて、まとめて包装した包装体において、
該包装体の包装シートには、該収納箱を取り出すためのミシン目の開封用切込み線が、該収納箱が積み重ねられた方向に対し傾斜した方向に設けられていることを特徴とする箱入りティシュペーパーの包装体である。
このようにミシン目の方向を傾斜させることにより、収納箱の一方側が包装袋からはみ出すので、収納箱を取り出し易いと共に、残りがバラバラになり難いと言う効果がある。また、収納箱が積み重ねられた方向に対し傾斜した角度は、３０度〜９０度（直角な方向）程度とするのが好ましい。
【００１５】
本発明の第８は、前記包装体の包装シートには、前記収納箱を取り出すためのミシン目の開封用切込み線が、前記収納箱が積み重ねられた方向に対し傾斜した方向に、複数箇所設けられていることを特徴とする第７の発明に記載した箱入りティシュペーパーの包装体である。
【００１６】
【発明の実施の形態】本発明は、箱入りティシュペーパーの収納箱を同一方向に複数個積み重ねて、その外側を透明フィルムなどのシートを用いて包装し、更に、キャラメル包装やシュリンク包装などによりシート同士を接合して袋状としたものに、ミシン目の開封用切込み目線などの開封手段を設けたものである。
包装用のシートとしては、ポリエチレンフィルム、水酸化アルミニュウム入りポリエチレン系フィルムなどのフィルムが好適に用いられる。特に、水酸化ナトリウム入りポリエチレン系フィルムを使用すると、廃棄して焼却する場合にダイオキシンの発生が防止できて好ましい。フィルム厚さとしては、１０〜３５μｍ程度が好適に使用できるが、特に限定するものではない。
【００１７】
また、開封手段としては、包装袋にミシン目の開封用切込み線、または開封用テープ（通常、オープニングテープ、カットテープ、テアテープとも称する）を配置する。ミシン目の開封用切込み線、または開封用テープとしては、従来からフィルム包装の開封手段として用いられているもの等が使用可能であり、特に限定するものではない。
また、本発明の箱入りティシュペーパーの包装体においては、収納箱を複数纏めて包装した包装袋の上面に、通常、フィルムなどにより形成した取っ手を設けることが好ましく、持ち運びに便利である。
【００１８】
【実施例】
次に図面を用いて、本発明を詳細に説明する。
＜実施例１＞
図１に、実施例１の箱入りティシュペーパー包装体の外形形状を示す。箱入りティシュペーパーの収納箱（Ｂ１〜Ｂ５）を、ティシュ取出口が配置された上面を上にして、同一方向に５個積み重ねて、その外側に密着するようにフィルム（ポリエチレンフィルム）２によりまとめて包装して（キャラメル包装して）包装体１を形成している。更に、該包装体１において、収納箱を積み重ねた方向の中央に当たる位置に（中央の収納箱位置の中央に）、収納箱を積み重ねた方向に対し直角な方向に、該包装体１の全周に渡って（環状に）ミシン目の開封用切り込み線１０を設けている。即ち、収納箱側面の長手方向に沿って、ミシン目の開封用切込線１０を設ける。ミシン目の開封用切込線の形状は特に限定しないが、切込部の長さを０．１〜４ｍｍ、切込していない部分の長さを０．１〜１０ｍｍ程度とすることが好ましい。例えば、（切込部の長さ）／（切込していない部分の長さ）を、１ｍｍ／１ｍｍ、１ｍｍ／２ｍｍ、２ｍｍ／２ｍｍ、等とすることができる。
【００１９】
また、包装体１の上面（箱入りティシュペーパーの収納箱の上面側の面）に、持ち運びのための取っ手３をフィルムにより形成している。
図４は、この包装体１をミシン目の開封用切込線１０に沿って開封し、中央の箱入りティシュペーパーの収納箱Ｂ３を取り出し、残りを二つの包装体に分けた状態を示す図である。このように、包装体１の中央部にミシン目の開封用切込み線を設けることにより、開封が容易であるのみでなく、中央の収納箱Ｂ３を最初に取り出した後、残りの収納箱（Ｂ１、Ｂ２、Ｂ４、Ｂ５）をフィルムにより包装したまま保管することが容易である。
【００２０】
＜実施例２＞
図２に、実施例２の箱入りティシュペーパー包装体の外形形状を示す。実施例１と同様に、箱入りティシュペーパーの収納箱を５個、フィルム２により包装して包装体１を形成している。該包装体の収納箱を積み重ねた方向の長さを三分割した位置に（即ち、上から２番目と４番目の収納箱位置に）、収納箱を積み重ねた方向に対し直角な方向に、該包装体の全周に渡ってミシン目の開封用切り込み線（１１、１２）が設けられている。
この例の場合は、ミシン目の開封用切込み線が２箇所に配置されているので、実施例１に比べ、包装体からの収納箱の取り出しが２個目以降も容易であると共に、残りの収納箱をフィルム包装したまま保管することも可能である。
【００２１】
＜実施例３＞
図３に本例の包装体を示す。実施例１と同様に、箱入りティシュペーパーの収納箱を５個、フィルム２により包装して包装体１を形成している。該包装体１の積み重ねた収納箱のそれぞれ中央位置に、収納箱を積み重ねた方向に対し直角な方向に、該包装体の全周に渡ってミシン目の開封用切込み線（１３、１４、１５、１６、１７）が設けられている。
この例の場合は、積み重ねた夫々の収納箱位置にミシン目の開封用切込み線が設けられているので、取り出そうとする収納箱に対応する切込み線を開封することにより、全ての収納箱に対して取り出しが非常に容易であると共に、残りの収納箱をフィルムで再包装して保管することも容易である。
【００２２】
＜実施例４＞
図５に本例の包装体を示す。実施例１と同様に、箱入りティシュペーパーの収納箱を５個、フィルム２により包装して包装体１を形成している。該包装体１の積み重ねた収納箱の上方３個の位置から、収納箱を積み重ねた方向に対し下方に傾斜した方向に（垂線に対し約６０度の方向に）、該包装体の全周に渡ってミシン目の開封用切込み線（２２、２３、２４）が３本設けられている。
この例の場合は、ミシン目の開封用切込み線に沿って開封すると、切込み線が傾斜しているので、収納箱の一方側が包装袋からはみ出し、取り出しが容易である。更に再包装も容易である。また、収納箱が積み重ねられた方向に対し傾斜した角度は、３０度〜９０度（直交する方向）程度が好ましく、３０〜７０度が更に好ましい。７０度以上では、直交する方向（９０度）と殆ど差がなく、一方方向から取り出し易くなる効果が低減し、３０度以下では、開封後に残りの収納箱がバラバラになり易く好ましくない。
【００２３】
＜実施例５＞
図６に本例の包装体を示す。実施例１に示した箱入りティシュペーパー収納箱５個を、フィルム２により包装した包装体１において、ミシン目の開封用切込み線１０の代わりに、開封用テープ（通常、オープニングテープ、カットテープ、テアテープとも称する）２０を配置した例である。開封用テープは、収納箱を積み重ねた方向の中央に当たる位置に（中央の収納箱位置に）、収納箱を積み重ねた方向に対し直角な方向に、該包装体の全周に渡って設けられている。
【００２４】
＜実施例６＞
図７に本例の包装体を示す。実施例５の例において、開封用テープ２０の位置を最上段の収納箱の位置に変更したものである。開封用テープ２０は収納箱を積み重ねた方向に直角な方向に、包装体１の全周に渡って配置されており、包装体１の上方から順番に収納箱を取り出すのに便利である。また、ミシン目と異なり、包装体の取っ手部分を持って運搬する場合も開封用テープ部分から破れる心配がない。
【００２５】
図８は、開封用テープ端部の断面図である。開封用テープ２０はポリエチレン等のフィルムから形成されており、包装フィルム２にヒートシールなどによって接合され、開封用テープの端部２１は、接合されないで摘み部とされている。開封時には、端部２１を摘まんで引っ張れば、開封用テープ２０に沿って包装フィルム２が引き裂かれ、包装体を開封することが出来る。尚、本例は包装フィルム２の外側に開封用テープ２０を配置しているが、包装フィルム２の内側に開封用テープ２０を配置することも出来る。
【００２６】
＜実施例７＞
本例の包装体は図示していないが、実施例２に示した箱入りティシュペーパー収納箱５個を包装した包装体１において、ミシン目の開封用切り込み線１１と１２の代わりに、開封用テープを２箇所配置した例である。
開封用テープは、実施例５、６に示したものと同様の方法により、包装体１の全周に渡って配置している。
【００２７】
＜実施例８＞
本例の包装体は図示していないが、実施例３に示した箱入りティシュペーパー収納箱５個を包装した包装体１において、ミシン目の開封用切り込み線１３、１４、１５、１６、１７の代わりに、開封用テープを５箇所配置した例である。
開封用テープは、実施例４、６に示したものと同様の方法により、包装体１の全周に渡って配置している。
【００２８】
＜実施例９＞
本例の包装体は図示していないが、実施例４の包装体１において、ミシン目の傾斜した開封用切込み線（２２、２３、２４）を開封用テープ２０に変更して３本設けた例である。
この場合は、実施例４の効果と開封用テープの効果の両方が得られる。
【００２９】
【発明の効果】本発明によれば、箱入りティシュペーパーの収納箱を同一方向に複数個積み重ねて、纏めて包装した包装シートにおいて、収納箱が積み重ねられた方向に対し交差する方向（直交する方向、または傾斜した方向）に、ミシン目の切込み線や開封用テープなどの開封手段を設けることにより、包装体の開封を容易に行うことが出来る。同時に、開封後も、包装シートを用いて衛生的かつ簡便に収納することができる。
【００３０】
また、ミシン目の方向を収納箱が積み重ねられた方向に対し３０〜９０度程度傾斜させると、包装体から収納箱を１個ずつ取り出し易く、且つ、取り出した後の残りがバラバラになり難いと言う効果がある。
【００３１】
また、開封用テープを用いる場合は、製造費用が高価になってしまうという欠点がある反面、一般的にはミシン目の切込み線と比べて破れにくいので、包装体の上部に設けた取っ手部分を持って持ち運ぶ場合なども、破れにくいと言える。更に、開封用テープを用いる場合は、ミシン目の切込み線と比べて、開封し易く、開口部がないのでシール性が良いという利点もある。
【図面の簡単な説明】
【図１】本発明の第１実施例を示し、開封用切込み線が設けられた箱入りティシュペーパーの包装体の図。
【図２】本発明の第２実施例を示し、開封用切込み線が設けられた箱入りティシュペーパーの包装体の図。
【図３】本発明の第３実施例を示し、開封用切込み線が設けられた箱入りティシュペーパーの包装体の図。
【図４】第１実施例の箱入りティシュペーパーの包装体を開封用切込み線に沿って開封し、中央の箱を取り出した後、二分割した状態を示す図。
【図５】本発明の第４実施例を示し、傾斜した開封用切込み線が設けられた箱入りティシュペーパーの包装体の図。
【図６】本発明の第５実施例を示し、開封用テープが設けられた箱入りティシュペーパーの包装体の図。
【図７】本発明の第６実施例を示し、開封用テープが設けられた箱入りティシュペーパーの包装体の図。
【図８】本発明の第５実施例の箱入りティシュペーパーの包装体に設けられた開封用テープの断面図。
【符号の説明】
１．　箱入りティシュペーパーの包装体
２．　包装シート（包装フィルム）
３．　取っ手
１０．ミシン目の開封用切込み線
１１．ミシン目の開封用切込み線
１２．ミシン目の開封用切込み線
１３．ミシン目の開封用切込み線
１４．ミシン目の開封用切込み線
１５．ミシン目の開封用切込み線
１６．ミシン目の開封用切込み線
１７．ミシン目の開封用切込み線
２０．開封用テープ
２１．開封用テープの端部
２２．傾斜したミシン目の開封用切込み線
２３．傾斜したミシン目の開封用切込み線
２４．傾斜したミシン目の開封用切込み線
Ｂ１．箱入りティシュペーパーの収納箱
Ｂ２．箱入りティシュペーパーの収納箱
Ｂ３．箱入りティシュペーパーの収納箱
Ｂ４．箱入りティシュペーパーの収納箱
Ｂ５．箱入りティシュペーパーの収納箱
【図１】
2004001802.tif 000003
【図２】
2004001802.tif 000004
【図３】
2004001802.tif 000005
【図４】
2004001802.tif 000006
【図５】
2004001802.tif 000007
【図６】
2004001802.tif 000008
【図７】
2004001802.tif 000009
【図８】
2004001802.tif 000010